(57)【要約】      （修正有）【課題】屋外において使用した場合にあっても長期にわたって読み取り精度を維持することができる２次元コードプレートを提供する。【解決手段】表面に２次元コードＣが形成された２次元コードプレート１であって、表面に黒色光沢平滑面が形成された硬質プレート２を用い、黒色光沢平滑面の、２次元コードのコードパターン３以外の部位を粗面Ｇ加工することにより、硬質プレート２に２次元コードＣを形成してなることを特徴とする。【選択図】図１
0003203889.tif 000002
【実用新案登録請求の範囲】
【請求項１】
表面に２次元コードが形成された２次元コードプレートであって、表面に黒色光沢平滑面が形成された硬質プレートを用い、前記黒色光沢平滑面の、前記２次元コードのコードパターン以外の部位を粗面加工することにより、前記硬質プレートに前記２次元コードを形成してなることを特徴とする２次元コードプレート。
【請求項２】
前記硬質プレートが、黒色花こう岩であることを特徴とする請求項１に記載の２次元コードプレート。
【請求項３】
前記硬質プレートが、黒檀であることを特徴とする請求項１に記載の２次元コードプレート。
【請求項４】
前記硬質プレートが、黒色ガラスであることを特徴とする請求項１に記載の２次元コードプレート。
【請求項５】
前記硬質プレートが、黒色ステンレスであることを特徴とする請求項１に記載の２次元コードプレート。
【請求項６】
前記硬質プレートが、黒色タイルであることを特徴とする請求項１に記載の２次元コードプレート。
【請求項７】
前記粗面加工がレーザー加工であることを特徴とする請求項１ないし請求項６の何れかに記載の２次元コードプレート。
【請求項８】
前記粗面加工がサンドブラスト加工であることを特徴とする請求項１ないし請求項６の何れかに記載の２次元コードプレート。
【請求項９】
前記粗面加工がエッチング加工であることを特徴とする請求項１ないし請求項６の何れかに記載の２次元コードプレート。
【請求項１０】
建造物に止着された前記請求項１ないし請求項９の何れかに記載の２次元コードプレートと、この２次元コードプレートに記録された２次元コードを撮像可能な通信端末と、前記２次元コードに関連づけられた情報が記録されたサーバーと、このサーバーと前記通信端末との通信を行なう通信手段とを備え、前記２次元コードが前記通信端末によって撮像され、この撮像された前記２次元コードが、前記通信手段を介して前記サーバーへ送出された際に、このサーバーから、前記２次元コードに関連づけられた情報を、前記通信手段を介して前記通信端末へ送出するようになされていることを特徴とする情報提供装置。
【考案の詳細な説明】
【技術分野】
【０００１】
本考案は、２次元コードプレートに係わり、特に、硬質プレートを用いた２次元コードプレートに関するものである。
【背景技術】
【０００２】
硬質プレートを用いた２次元コードプレートとして、たとえば、特許文献１において提案されている。
【０００３】
この技術は、陶磁器や金属素材からなるプレートの表面に２次元コードを印刷若しくは刻印したものである。
【先行技術文献】
【特許文献】
【０００４】
【特許文献１】特開２００８−２４３１５９号公報
【考案の概要】
【考案が解決しようとする課題】
【０００５】
ところで、前述した従来の技術のように、陶磁器や金属素材からなるプレートの表面に２次元コードを印刷して２次元コードプレートを制作した場合、印刷に用いられるインクと前記プレートの密着強度が経時的に劣化し、特に、屋外に設置される建造物に前記２次元コードプレートを装着した場合、風雨や太陽光線による密着強度やインクの劣化により前記２次元コード剥がれてしまい、この２次元コードの読み取りができなくなるおそれがある。
【０００６】
また、刻印により前記２次元コードを形成した場合にあっては、刻印された部位の表面状態と、その他の部位の表面状態がほぼ同一となることから、これらの部位間におけるコントラスト差が十分に得られず、２次元コードの読み取りに支障を来たすおそれがある。
【０００７】
本考案は、このような従来の問題点に鑑みてなされたもので、屋外において使用した場合にあっても長期にわたって読み取り精度を維持することができる２次元コードプレートを提供することを解決課題とする。
【課題を解決するための手段】
【０００８】
本考案の２次元コードプレートは、前述した課題を解決するために、表面に２次元コードが形成された２次元コードプレートであって、表面に黒色光沢平滑面が形成された硬質プレートを備え、前記黒色光沢平滑面の、前記２次元コードのコードパターン以外の部位を粗面加工することにより、前記硬質プレートに前記２次元コードを形成してなることを特徴とする。
【０００９】
このような構成とすることにより、前記硬質プレートの表面に、２次元コードのコードパターンが、黒色光沢平滑面によって形成され、その他の部位が粗面に形成される。
【００１０】
ここで、前記粗面加工による面荒さを調整することにより、前記コードパターンとその他の部位のコントラスト差を十分に確保することができる。
【００１１】
この結果、記録された２次元コードの読み取りを高精度に行なうことができる。
しかも、前記２次元コードが、前記硬質プレート自体で記録されていることから、風雨や太陽光線に晒されても、前記２次元コードの輪郭が崩れにくく、したがって、長期にわたって読み取り精度を維持することができる。
【００１２】
そして、前記硬質プレートとして、黒色花こう岩や黒檀、黒色、黒色ステンレス、あるいは、黒色タイルを用いることができ、また、これらの粗面加工として、その材質により、レーザー加工やサンドブラスト加工、あるいは、エッチング加工等を選択使用することができる。
【００１３】
一方、このように耐久性に優れた２次元コードプレートが得られることにより、この２次元コードプレートを屋外の建造物に止着して使用することができる。
【００１４】
そして、前記２次元コードの機能を利用し、この２次元コードプレートに記録された２次元コードを撮像可能な通信端末と、前記２次元コードに関連づけられた情報が記録されたサーバーと、このサーバーと前記通信端末との通信を行なう通信手段とを用い、前記２次元コードが前記通信端末によって撮像され、この撮像された前記２次元コードが前記通信手段を介して前記サーバーへ送出された際に、このサーバーから、前記２次元コードに関連づけられた情報を、前記通信手段を介して前記通信端末へ送出する情報提供装置を構成して、前記情報の提供を行なうことができる。
【考案の効果】
【００１５】
本考案の２次元コードプレートによれば、２次元コードの読み取り精度を確保しつつ、この２次元コードの輪郭の劣化を抑制して、その読み取り精度を長期にわたって維持することができる。
【図面の簡単な説明】
【００１６】
【図１】本考案の一実施形態にかかる２次元コードプレートの正面図である。
【図２】本考案の一実施形態にかかる２次元コードプレートの製造方法を示す正面図である。
【図３】本考案の一実施形態にかかる２次元コードプレートの製造方法を示す正面図である。
【図４】本考案の一実施形態にかかる２次元コードプレートの製造方法を示す正面図である。
【図５】本考案の一実施形態にかかる２次元コードプレートの製造方法を示す正面図である。
【図６】本考案の一実施形態にかかる２次元コードプレートを用いた情報提供装置を示すシステム構成図である。
【考案を実施するための形態】
【００１７】
以下、本考案の一実施形態について、図面を参照して説明する。
図１において、符号１は、本実施形態に係わる２次元コードプレートを示し、この２次元コードプレート１は、表面に黒色光沢平滑面（Ｆ：図２参照）が形成された硬質プレート２を用い、前記黒色光沢平滑面Ｆの、２次元コードＣのコードパターン３以外の部位を粗面加工することにより、前記硬質プレート２に前記２次元コードＣを形成した構成となっている。
【００１８】
本実施形態においては、前記硬質プレート２として黒色花こう岩を用い、前記粗面加工としてサンドブラスト加工を用いている。
【００１９】
ついで、これらを用いた前記２次元コードプレート１の製造方法について、図２ないし図５を参照して説明する。
【００２０】
まず、矩形状に切り出した硬質プレート２の一面を研磨加工することにより、その一面全体を黒色光沢平滑面Ｆとする。
【００２１】
ついで、図２に示すように、前記黒色光沢平滑面Ｆに、前記２次元コードＣのコードパターン３と同パターンを有するマスキング４を施す。
ここでは、前記マスキング４として、文字情報を付すためのマスキング４も施してある。
【００２２】
これより、前記黒色光沢平滑面Ｆに微細な流体を吹き付けてサンドブラスト加工を施し、粗面Ｇを生成する。
この加工を、図３ないし図５に示すように、前記黒色光沢平滑面Ｆ全面に施し、加工が終了した後に、前記マスキング４を剥離除去することにより、図１に示すように、黒色光沢平滑面Ｆが、前記粗面Ｇによって浮かび上がるように残されて、前記２次元コードＣが形成される。
【００２３】
このようにして形成された２次元コードＣは、前述したように黒色光沢平滑面Ｆによって形成され、かつ、その周辺が、前記粗面Ｇによって取り囲まれていることから、これらの２次元コードＣと粗面Ｇとの間に、明確なコントラスト差が生じる。
【００２４】
したがって、前記２次元コードＣのコードパターン３が明瞭に形成され、その読み取り精度が確保される。
【００２５】
しかも、前記２次元コードプレート１全体が、硬質プレート２である黒色花こう岩によって形成されているとともに、前記コードパターン３も硬質プレート２の一部で形成されていることから、これらの形状が長期にわたって維持される。
【００２６】
この結果、前記２次元コードプレート１の長期にわたる耐久性が確保され、かつ、前記２次元コードＣの輪郭の崩れが防止されて、その読み取り精度も長期にわたって確保される。
【００２７】
このような耐久特性を有する本実施形態に係わる２次元コードプレート１は、屋外における使用に最適である。
【００２８】
その使用方法として、屋外に設置される建造物に関連づけられた情報提供方法が挙げられる。
【００２９】
この情報提供方法の一例につて、図６を参照して説明する。
この図は、前述した情報を提供するための装置のシステム構成図であり、建造物としての墓石に適用して、埋葬されている故人に関する情報を提供するようにしたものである。
【００３０】
すなわち、墓石５に、故人に関連づけられた情報を得るための２次元コードが記録された２次元コードプレート１を一体に取り付けて使用する。
【００３１】
情報提供を行なうシステムとして、前記２次元コードプレートに記録された２次元コードを撮像可能な通信端末６と、前記故人に関連づけられた情報を前記２次元コードに関連づけて記録したサーバー７と、このサーバーと前記通信端末との通信を行なう通信手段８とを用いる。
【００３２】
そして、利用者により、前記通信端末６によって前記２次元コードが撮像されると、この撮像された前記２次元コードが、前記通信手段８を介して前記サーバー７へ送出され、このサーバー７から、前記２次元コードに関連づけられた故人の情報が、前記通信手段８を介して前記通信端末６へ送出されて表示される。
【００３３】
利用者は、前記通信端末６において、前記故人に関連づけられた情報を確認することができる。
この情報として、たとえば、故人の関する文字情報、静止画情報、動画情報や音声情報等が設定される。
【００３４】
なお、前記実施形態において示した各構成部材の材質や諸形状あるいは加工方法等は一例であって、使用環境や設計要求等に基づき種々変更可能である。
【００３５】
たとえば、前記実施形態においては、前記硬質プレート２として、黒色花こう岩を用いる例を示したが、これに代えて黒檀、黒色、黒色ステンレス、あるいは、黒色タイルを用いることができ、また、これらの粗面加工として、その材質により、レーザー加工、あるいは、エッチング加工等を選択することができる。
【００３６】
また、前記建造物として墓石を示したが、屋内の仏壇への適用も可能であり、また、種々の施設や物品への適用も可能である。
【符号の説明】
【００３７】
１  ２次元コードプレート
２  硬質プレート
３  コードパターン
４  マスキング
５  墓石
６  通信端末
７  サーバー
８  通信手段
Ｃ  ２次元コード
Ｆ  黒色光沢平滑面
Ｇ  粗面
【図１】
0003203889.tif 000003
【図２】
0003203889.tif 000004
【図３】
0003203889.tif 000005
【図４】
0003203889.tif 000006
【図５】
0003203889.tif 000007
【図６】
0003203889.tif 000008